(57)【要約】【課題】例えば、一度に二週間分の薬を分別して手早く並べることができるなど、一度に多種多量の小分けを要する小物類を手早く確実に並べることができ、分別後も再度確認しながら小分け袋等に収納可能であり、しかも、保管時に嵩張らず、家庭で手軽に洗濯できる小分け作業用布を得ることにある。【解決手段】布素材の表面に仕切り凸壁２によって仕切られた複数の小物収容部３を形成し、この各小物収容部３に薬５等の小物類を収容することができる小分け作業用布１とした。【選択図】  図１
2005021222.tif 000002
【特許請求の範囲】
【請求項１】
布素材の表面に仕切り凸壁によって仕切られた複数の小物収容部を形成し、この各小物収容部に薬等の小物類を収容することができる小分け作業用布。
【請求項２】
上記布素材にパイル織物を用い、上記仕切り凸壁をパイル部によって形成したことを特徴とする請求項１に記載の小分け作業用布。
【請求項３】
曜日と薬の服用時期とを表示したことを特徴とする、薬小分け用の請求項１または２に記載の小分け作業用布。
【発明の詳細な説明】
【０００１】
【発明の属する技術分野】
この発明は、例えば、病院や薬局などから纏めてもらった２週間、あるいは一ヶ月分の多種類の薬を、一回の服用分毎に小分けする場合などのように、多種多量の小分けを要する小物類を分別して小分けし易いように並べるのに好適な小分け作業用布に関する。
【０００２】
【従来の技術】
高齢者はいろいろな病気を合併していることが多いので、朝・昼・夜にそれぞれ異なる種類の薬を服用することが多い。このため、病院や薬局などで２週間、あるいは一ヶ月分の薬を纏めてもらった場合、一回にもらう薬は多種多量になる。したがって、患者は、２週間、あるいは一ヶ月分の纏めて渡された薬の中から、例えば、朝に服用する薬、昼に服用する薬、夜に服用する薬を、種類と用量を間違えないように、その都度、薬袋から取り出して服用しなければならない。
【０００３】
ところが、服用する薬の種類や量が多くなると、特に、高齢者の場合には、種類や用量、用法を間違い易い。このため、予め、本人や家族が、２週間、あるいは一ヶ月分の薬を一回分毎に、小分け袋に小分けし、高齢者が薬の服用を間違えないようにしていることも多い。
【０００４】
しかしながら、本人や家族が二週間分の薬を一度に分別して小分けしようとした場合、小分け数が、一日３回（朝食後、昼食後、夕食後）で、１４日分、合計４２個になるため、テーブル上に全部の小分け用小皿を並べることは困難である。そこで、仕方なく、テーブル上に小分けした薬を服用時期毎におおまかに分けて並べていたか、又は、直接小分け袋等に収納していた。
【０００５】
ところが、包装から取り出されたカプセル薬や錠剤の場合は、非常に転がり易いため、薬を並べる際には、テーブルにそっと置く必要があり、小分け作業に手間取るという問題があった。さらに、４２に小分けした薬の山がテーブル一杯に広がり、テーブル上が込入ってしまうため、気付かぬ間にカプセル薬がコロコロと転がって他の小分けした薬の山に紛れ込んでしまうことがあり、そのまま小分け袋に小分けされた結果、服用事故を起こすという問題もあった。しかも、剥き出しの薬を並べる場合もあるので、小分けした薬を並べる場所は清潔であることが望まれる。
【０００６】
【発明が解決しようとする課題】
そこで、この発明の課題は、例えば、一度に二週間分の薬を分別して手早く並べることができるなど、一度に多種多量の小分けを要する小物類を手早く確実に並べることができ、分別後も再度確認しながら小分け袋等に収納可能であり、しかも、保管時に嵩張らず、家庭で手軽に洗濯できる小分け作業用布を得ることにある。
【０００７】
【課題を解決するための手段】
上記の課題を解決するため、この発明は、布素材の表面に仕切り凸壁によって仕切られた複数の小物収容部を形成し、この各小物収容部に薬等の小物類を収容することができる小分け作業用布としたのである。
【０００８】
この構成の小分け作業用布によれば、一度に多種多量の薬等の小物類を分別して小分け作業を行う時に、服用日時等の分別分類に従って分別した薬等を、順次、仕切り凸壁に仕切られた小物収容部毎に並べることができる。このため、分別後も再度確認しながら小分け袋に収納することができる。また、小分けされた薬等は、布の繊維により転がり難く、もし転がり動いても仕切り凸壁に止められるので、隣の小物収容部に紛れ込むことを防止できる。このため、薬等を過度に慎重に置く必要がなくなり、一度に多種多量の薬等の小物類を手早く確実に並べることができる。しかも、小分け作業用布は、布から構成されるため、小分け作業終了後には小分け作業用布を畳むことにより嵩張らずに保管できると共に、家庭で手軽に洗濯でき、清潔に保つことができる。
【０００９】
【発明の実施の形態】
この発明の一実施の形態の小分け作業用布を図面に基づき説明する。
図１、２に示すように、この実施形態における小分け作業用布１は、布素材の表面に仕切り凸壁２によって仕切られた複数の小物収容部３を形成したものである。このように構成された小分け作業用布１は、各小物収容部３に薬５等の小物類を収容することができるものである。さらに、この小分け作業用布１には、薬５の小分け作業用に、薬５の服用日時を表示している。
【００１０】
この小分け作業用布１では、分別分類として、一週間の曜日と、一日の薬５の服用時期（朝、昼、夜）とを用いている。これに対応させて、小分け作業用布１の表面に、仕切り凸壁２を縦方向に平行する８筋、かつ、横方向に平行する４筋の格子模様に形成し、小物収容部３を７×３列に並べている。このように、小分け作業用布１に設ける小物収容部３の配置は、小分け物の分別分類に応じて決めることができる。例えば、分別分類として一日４回（朝、昼、夜、寝る前）の服用時期を用いて小分けする場合は、小分け作業用布１の表面に、仕切り凸壁２を縦方向に平行する８筋、かつ、横方向に平行する５筋の格子模様に形成し、小物収容部３を７×４列に並べる。なお、布小分け作業用布１のいずれを縦横方向とするかは、布組織の構成方向とは関係なく、任意に決定できる。
【００１１】
小分け作業用布１の布素材には、パイル織物の一種であるタオル織物を用いており、仕切り凸壁２をタオル織物のパイル部によって形成している。小物収容部３の深さは、仕切り凸壁２の高さ（パイルを起立させる高さ）によって調節できる。また、この実施形態では、小物収容部３の面積を一回の服用分が収容できる程度にしている。このように、仕切り凸壁２の高さ及び小物収容部３の面積を、薬５等の小物類の大きさ、収容数等に応じて決めることができる。
【００１２】
勿論、小分け作業用布１の布素材には、タオル織物以外の布を用いることができる。例えば、ビロードやコール天のような他のパイル織物を用いて上記と同様に仕切り凸壁２をパイル部によって形成すると、小分け作業用布１に織り上げることができる。このように、パイル織物を用いると、織り上げと同時に仕切り凸壁２を形成できるので、小分け作業用布１をより低コストで製造できる。
【００１３】
また、小分け作業用布１の布素材には、平織物を用いることもできる。この場合は、平織物にフロック加工を用いることによって、平織物の表面に仕切り凸壁２を上記格子模様に形成すると小分け作業用布１を得ることができる。また、平織物にヒダ付け加工、例えばプリーツ加工等を行い、ヒダを上記格子模様に形成し、形成されたヒダの付根に平面方向にステッチを入れることによって、平織物の表面に仕切り凸壁２を上記格子模様に形成すると、小分け作業用布１を得ることができる。
【００１４】
さらに、小分け作業用布１の布素材には、例えば、フェルトや不織布を用いることもできる。この場合は、フェルト等を形成する際に、プレス成型によって仕切り凸壁２を上記格子模様に形成し、熱セットすると、小分け作業用布１を得ることができる。
【００１５】
上記のように、小分け作業用布１の布素材には、仕切り凸壁２を形成することができ、かつ、成形された小分け作業用布１がそのまま家庭で洗濯できるようになる布を用いることができる。
【００１６】
さらに、この小分け作業用布１では、横方向の一列の各小物収容部３に薬５の服用時期を表示し、この一列の表示を縦方向へ順にそれぞれの列毎にあさ、ひる、よるとしており、耳部４に横方向へ順に一週間の曜日を表示している。このようにすると、分別分類と各小物収容部３の対応が一目で確認でき、誤分別を減らすことができる。なお、この表示には、プリント印刷や織り出しを用いることができる。
【００１７】
また、この小分け作業用布１においては、小分け作業用布１の表面に、仕切り凸壁２を縦方向に平行する１５筋、かつ、横方向に平行する４筋の格子模様に形成し、小物収容部３を前記一方向に１４×３列に並べることができる。このように、小分け作業用布１を構成すると、一つの小分け作業用布１によって２週間分の薬５を一度に分別して並べることができるようになる。
【００１８】
さらに、この小分け作業用布１においては、仕切り凸壁２と小物収容部３とを異なる色に形成することができる。このようにすると、小物収容部３が一目で判るようになり、誤分別を防ぐことができる。加えて、この小分け作業用布１においては、横方向の一列の小物収容部３を同色とし、かつ、この一列の色を、縦方向へ順にそれぞれの列毎に異なる色に形成することができる。このようにすると、分別分類と小物収容部３との対応が一目で判るようになり、より誤分別を防ぐことができる。なお、このように形成する方法には、多色織やプリント印刷を用いることができる。
【００１９】
勿論、この小分け作業用布１は、薬５の小分け作業以外にも利用できる。例えば、組立て家具などの組立てに使用するボルトや金具等の小分け作業をする場合に用いることができる。
【００２０】
【発明の効果】
以上のように、この発明の小分け作業用布１においては、多種多量の小物類を一度に分別して小分け作業を行う時に、分別分類に従って分別した小物類を、順次、仕切り凸壁２に仕切られた各小物収容部３に並べることができる。このため、分別後も再度確認しながら小分け袋等に収納することができる。また、小分けした小物類は、布の繊維により転がり難く、もし転がり動いても仕切り凸壁２に止められるので、隣の小物収容部３に混ざり込むことを防止できる。このため、薬５等を過度に慎重に置く必要がなくなり、一度に多量の薬等の小物類を手早く確実に並べることができる。しかも、小分け作業用布１は、布から構成されるため、小分け作業終了後には小分け作業用布１を畳むことにより嵩張らずに保管できると共に、家庭で手軽に洗濯でき、いつも清潔な状態で使用することができる。
【図面の簡単な説明】
【図１】この発明の一実施の形態の小分け作業用布を示す正面図である。
【図２】図１の小分け作業用布の一部分を拡大して使用状態を示した斜視図である。
【符号の説明】
１  小分け作業用布
２  仕切り凸壁
３  小物収容部
４  耳
５  薬
【図１】
2005021222.tif 000003
【図２】
2005021222.tif 000004